(57)【要約】      （修正有）【課題】棚が上段一段のみのラックであっても、その左右片側に二物品を同時支持するレイアウトと、左右両側それぞれに一物品ずつ支持するレイアウトを選択可能なサイドホルダ及びラックを提供する。【解決手段】左右一対の支脚間に棚材をビス止めすることにより組み立てられるラックのサイドホルダ４であって、支脚２と棚材３間に挟持されビス止めにより取り付け可能な取付板に、線材を折り曲げ加工して下端に物品の支持部を形成した懸垂線材の上端部を固定してなるホルダ部材５，６を二組備え、これらホルダ部材５，６は、互いの取付板を重ね合わせて支脚２と棚材３間に取り付け可能であって、それぞれが取付板の重ね合わせ面とは反対面に懸垂線材の上端部を固定してなると共に、当該取付板の重ね合わせ時に互いの支持部が上下に位置することを特徴とする。【選択図】図１
0003182353.tif 000002
【実用新案登録請求の範囲】
【請求項１】
左右一対の支脚間に棚材をビス止めすることにより組み立てられるラックのサイドホルダであって、前記支脚と棚材間に挟持され前記ビス止めにより取り付け可能な取付板に、線材を折り曲げ加工して下端に物品の支持部を形成した懸垂線材の上端部を固定してなるホルダ部材を二組備え、これらホルダ部材は、互いの取付板を重ね合わせて前記支脚と棚材間に取り付け可能であって、それぞれが取付板の重ね合わせ面とは反対面に前記懸垂線材の上端部を固定してなると共に、取付板の重ね合わせ時に互いの支持部が上下に位置することを特徴としたラックのサイドホルダ。
【請求項２】
各ホルダ部材における懸垂線材の支持部は、上下方向に沿って平行する二本の縦線材の下方をＬ字状に折り曲げると共に、さらに、その端部を上方に折り返し、該端部間に連続して横線材が水平に形成され、且つ、一方のホルダ部材における縦線材の間隔を他方よりも狭めた請求項１記載のラックのサイドホルダ。
【請求項３】
左右一対の支脚間に棚材をビス止めすることにより組み立てられるラックと、前記支脚と棚材間に挟持され前記ビス止めにより取り付け可能な取付板に、線材を折り曲げ加工して下端に物品の支持部を形成した懸垂線材の上端部を固定してなるホルダ部材を二組備え、これらホルダ部材は、互いの取付板を重ね合わせて前記支脚と棚材間に取り付け可能であって、それぞれが取付板の重ね合わせ面とは反対面に前記懸垂線材の上端部を固定してなると共に、当該取付板の重ね合わせ時に互いの支持部が上下に位置することを特徴としたラック。
【請求項４】
各ホルダ部材における懸垂線材の支持部は、上下方向に沿って平行する二本の縦線材の下方をＬ字状に折り曲げると共に、さらに、その端部を上方に折り返し、該端部間には水平な横線材が連続して形成され、且つ、互いの縦線材が干渉しないように一方の縦線材の間隔を他方よりも狭めた請求項３記載のラック。
【請求項５】
棚材は、上段の一枚のみである請求項３または４記載のラック。
【請求項６】
棚材は、長手方向に伸縮自在である請求項３から５のうちいずれか一項記載のラック。
【考案の詳細な説明】
【技術分野】
【０００１】
この考案は、左右の支脚間に棚材をビス止めすることにより組み立てられるラックの左右側面に取付ける小物用サイドホルダと、該サイドホルダを備えたラックに関するものである。
【背景技術】
【０００２】
左右の支脚間に棚材をビス止めするだけで家庭でも容易に組み立てることができるラック（置棚）は周知である。また、台所用として、ふきん掛け、フライ返しなどの調理具掛け、まな板立てなどの小物整理具を付属した整理棚が公知である（特許文献１参照）。該特許文献１における小物整理具のうち、まな板立ては、線材を正面視Ｕ字状に曲げ加工すると共に、下部をまな板が立てられるように上方に折り返して側面視コ字形の支持部を形成してなる。当該構成のまな板立ては、特許文献１に明記されていないが、そのままの寸法で、あるいは前記支持部の前後寸法を変更することによって、ボックスティッシュやラップフィルムなどのホルダとして使用することが可能である。そして、特許文献１では、まな板立ては整理棚の片側に一つしかないが、二組のまな板立てを設けることによって、各まな板立てにボックスティッシュとラップフィルムを支持することも考えられる。
【先行技術文献】
【特許文献】
【０００３】
【特許文献１】実用新案登録第３０２２３５７号公報
【考案の概要】
【考案が解決しようとする課題】
【０００４】
しかし、特許文献１において二組のまな板立てを設けるには、整理棚の左右それぞれに一つずつ取付けるか、棚を二段に設けて、各段にまな板立てを上下して取付けるしかない。つまり、特許文献１のまな板立ては、左右の上端部それぞれに互いに向き合う鉤部を形成してなり、該鉤部を棚材の側端に形成した嵌合溝に嵌合したうえで支脚をネジ止めして取付けられるものであるから、整理棚の片側に二組のまな板立てを同時に取付けるには、棚を二段設ける必要がある。
【０００５】
ところが、台所に十分な設置スペースがない場合、まな板立てを左右両側に取付けた整理棚を設置することができない。一方、棚材を上下二段に設けると、下段の棚材の下方空間が狭くなり、デッドスペース化しやすい。また、台所には、下段を米びつ、上段を電子レンジ等の設置部としたキッチンキャビネットを設置することが多く、このようなキッチンキャビネットの上段に置棚を適用すれば、支脚間に電子レンジを設置したうえで、棚材により電子レンジの上方空間を収納スペースとして利用することができるが、棚材が上下二段あると、下段の棚材が電子レンジ等に干渉して、結局、このような二段棚の置棚を適用することができない。
【０００６】
本考案は上述した課題を解決するためになされたもので、その目的とするところは、棚が上段一段のみのラックであっても、その左右片側に二物品を同時支持するレイアウトと、左右両側それぞれに一物品ずつ支持するレイアウトを選択可能なサイドホルダを提供することである。また、このサイドホルダを付属したラックを提供することも本考案の目的の一つである。
【課題を解決するための手段】
【０００７】
上述した目的を達成するために、本考案のサイドホルダは、左右一対の支脚間に棚材をビス止めすることにより組み立てられるラックに取付けるものとして、前記支脚と棚材間に挟持され前記ビス止めにより取り付け可能な取付板に、線材を折り曲げ加工して下端に物品の支持部を形成した懸垂線材の上端部を固定してなるホルダ部材を二組備え、これらホルダ部材は、互いの取付板を重ね合わせて前記支脚と棚材間に取り付け可能であって、それぞれが取付板の重ね合わせ面とは反対面に前記懸垂線材の上端部を固定してなると共に、当該取付板の重ね合わせ時に互いの支持部が上下に位置することを特徴とする。
【０００８】
本考案のサイドホルダは、支持部の高さ位置が異なる二組のホルダ部材からなり、各ホルダ部材をラックの左右それぞれに取り付けることはもちろん、取付板を重ね合わせることで、ラックの左右いずれか片側に二組同時に取り付けることもできる。このとき取付板は二枚が重ね合わされた状態で支脚と棚材間に挟み込まれ、ビス止めされるが、懸垂線材は重ね合わせ面とは反対面に位置するため、取付板をぴったりと重ね合わせることができ、支脚と棚材間に二枚の取付板を隙間なくビス止めすることができる。
【０００９】
ホルダ部材の懸垂線材は、台所用の網かごなどに使用されている鋼線等の線材（防錆のため、樹脂コーティングしたものを含む）を曲げ加工して支持部を形成したもので、その支持部は、広く公知の構造を採用することができる。例えば、レードルなどの調理道具であればフックによって支持部を構成し、また、下端を水平に曲げ加工したものであれば、布巾を掛けることもできる。さらに、各ホルダ部材で構造が異なる支持部を構成することも本考案の技術的範囲に含まれる。
【００１０】
さらにまた、ラックの目的や設置場所によっても、支持部の構造を変更することができる。つまり、ラックを床に直置きするのではなく、電子レンジ等を置くキッチンキャビネットの最上段に設置するような場合、ボックスティッシュやラップフィルム用の支持部を構成することが好ましい。こうした頻繁に使用する物品を一々かがむことなく手に取ることができるからである。
【００１１】
そこで本考案では、ボックスティッシュやラップフィルム用のサイドホルダを構成するために、各ホルダ部材における懸垂線材の支持部は、上下方向に沿って平行する二本の縦線材の下方をＬ字状に折り曲げると共に、さらに、その端部を上方に折り返し、該端部間には水平な横線材が連続して形成して、上記ボックスティッシュ等の支持部を構成するという手段を選択的に用いる。ここで、本考案特有の構成として、一方のホルダ部材における縦線材の間隔を他方よりも狭めるという手段を用いる。この手段は、サイドホルダの梱包容積を小さくすることを目的として採用するもので、縦線材の間隔を違えることで、互いの縦線材および支持部が干渉することなく、二組のホルダ部材を重ねて梱包することができる。
【００１２】
本考案のサイドホルダは、左右一対の支脚間に棚材をビス止めすることにより組み立てられるラックであれば、既存のラックにも適用可能である。つまり、消費者は、サイドホルダを汎用品として、単体で購入するという選択が可能となる。
【００１３】
しかし、そうすると、既存のラックと寸法が合うかどうかや、ビス穴が適合するかどうかの確認が不可欠となる。そこで本考案では、製品として、上記構成のサイドホルダを付属したラックを提供するという手段を用いる。
【００１４】
さらに、上述したようにキッチンキャビネットの電子レンジ等を置く段に設置するものとして、棚材を上段のみ一枚を有するラックを提供する。これによれば、棚材の下方に広々とした空間が確保され、当該空間に電子レンジ等を置くことができると共に、棚材によって電子レンジ等の上方空間を収容スペースとして利用することができるようになる。
【００１５】
このようにキッチンキャビネットの電子レンジ等を置く段に設置するラックにあっては、棚材の高さ調整よりも長手方向の幅を微調整できることが好ましい。そこで本考案では、棚材を長手方向に伸縮自在に構成するという手段を用いる。
【考案の効果】
【００１６】
本考案のサイドホルダによれば、二組のホルダ部材をラックの左右片側に同時に使用することも、左右別々に使用することもでき、設置場所の間取りや消費者の好みに応じてレイアウトを選択することができる。
【００１７】
また本考案のラックによれば、予め当該ラックに適合する上記サイドホルダを付属しているため、ラックとサイドホルダとを寸法等を確認しながら別々に購入する手間が省ける。
【図面の簡単な説明】
【００１８】
【図１】本考案の一実施形態に係るラックの分解斜視図
【図２】同、サイドホルダの斜視図
【図３】同、サイドホルダの正面図（ａ）及び側面図（ｂ）
【図４】同、ラックの完成斜視図
【図５】同、ラックの使用例を示した斜視図
【図６】同、ラックの別のレイアウトを示した斜視図
【図７】同、ラックのさらなる別のレイアウトを示した斜視図
【図８】サイドホルダの他の構成例を示す説明図
【図９】上記実施形態におけるサイドホルダの梱包例を示す説明図
【考案を実施するための形態】
【００１９】
以下、本考案の好ましい実施の形態を添付した図面に従って説明する。図１は、本考案の一実施形態に係るラックの分解斜視図であり、１・２は支脚、３は棚材、４は二組のホルダ部材５・６からなるサイドホルダである。支脚１・２はコ字状のパイプによって構成され、その上段の水平部間に二本のビス７を用いて棚材３を固定する。つまり、この実施形態のラックは、支脚１・２の最上段に棚材３を一枚設けて、その上下を収納空間として利用できるものであり、例えば電子レンジ等が置かれているキッチンキャビネットの最上段に電子レンジ等と干渉することなく設置できるものである。
【００２０】
また棚材３は、外棚３ａに内棚３ｂをスライド自在に挿入する構造であり、挿入深さを変えることで棚材３の長手方向の幅を調整できるから、キッチンキャビネット等の寸法に適合させることができる。
【００２１】
なお、８は支脚１・２の垂直部間にビス９により固定される補強部材であって、上下パイプ間にトラス構造を設けたトラス構造体８ａと、該トラス構造体８ａの前記パイプそれぞれを外筒としてスライド自在に挿入する上下一対の内パイプ８ｂと、該内パイプ８ｂの挿入位置を固定する一対のストッパ８ｃとからなり、棚材３の幅に応じて内パイプ８ｂの挿入位置を合わせることができる。
【００２２】
サイドホルダ４は、図２に示すように、二組のホルダ部材５・６からなり、何れのホルダ部材５・６とも、平板状の取付板５ａ・６ａの片面に線材を折り曲げ加工した懸垂線材５ｂ・６ｂの上端部を固定してなる。取付板５ａ・６ａにはビス７に対応するビス穴５ｃ・６ｃが形成されている。懸垂線材５ｂ・６ｂは、樹脂コーティングした鋼材からなり、Ｕ字形に折曲したものの下部をさらに上方に向かってコ字状に折り曲げて、該コ字状の部分を物品の支持部５ｄ・６ｄとしている。つまり、懸垂線材５ｂ・６ｂは、上下方向に沿って平行する二本の縦線材５ｅ・６ｅの下方をまずＬ字状に折り曲げ、さらに、その端部を上方に垂直に折り返し、該端部間に連続して横線材５ｆ・６ｆを水平に形成することで、ボックスティッシュやラップフィルムなどの箱状物品の支持部５ｄ・６ｄを構成している。
【００２３】
各ホルダ部材５・６は、取付板５ａ・６ａ同士を密着して重ね合わせることができるように、それぞれの懸垂線材５ｂ・６ｂの上端部を取付板５ａ・６ａの重ね合わせ面とは反対面に固定している。また、各ホルダ部材５・６では懸垂線材５ｂ・６ｂの縦線材５ｅ・６ｅの長さが異なり、図３に示すように、取付板５ａ・６ａを重ね合わせたとき、支持部５ｄ・６ｄが上下に位置するようにしている。
【００２４】
さらに、図３に示すように、取付板５ａ・６ａに対する縦線材５ｅ・６ｅの固定（溶接位置）は、取付板５ａ・６ａの下半を始点としており、該縦線材５ｅ・６ｅが支脚２や棚材３と干渉しないようにしている。
【００２５】
図４は、ラックの片側（図面上、向かって右側）にサイドホルダ４を取り付けた完成斜視図である。そして、図５は、当該完成したラックのサイドホルダ４の使用例として、ボックスティッシュＢとラップフィルムＲを支持した状態を示したものである。
【００２６】
上記サイドホルダ４は、図６に示すように、ラックの他方側（図面上、向かって左側）に付け替えることができることはもちろんのこと、図７に示すように、二組のホルダ部材５・６を左右別個に取り付けることも可能である。
【００２７】
このように本実施形態によれば、消費者は、図５〜７の中からレイアウトを選択することができる。さらに、ホルダ部材５・６のいずれか一方のみを、ラックの左右いずれか一方に取り付けるようなレイアウトも可能であるから、本考案のサイドホルダ４は二組のホルダ部材５・６によって、図５〜７のレイアウトと合わせると、８種類ものレイアウトが可能である。
【００２８】
ところで、上記実施形態では、二組のホルダ部材５・６について、使用時に、支持部６ｄが上位となる懸垂線材６ｂの縦線材６ｅの間隔を、他方の懸垂線材５ｂの縦線材５ｅの間隔よりも狭めている。これは、梱包時に、最大限、容量が小さい箱に詰め込むために採用した構成である。即ち、二組のホルダ部材５・６を梱包する際、両者の縦線材の間隔が同一であると、図８に示したように、縦線材が干渉するため全体の厚みが増し、しかも、支持部同士も干渉するため、支持部の位置もずらす必要が生ずる。
【００２９】
そこで、本実施形態では、一方の縦線材６ｅの間隔を他方の縦線材５ｅの間隔よりも、縦線材のほぼ２本分の太さだけ狭くしている。当該構成のホルダ部材５・６によれば、図９に示したように、使用時とは逆に、縦線材５ｅ・６ｅの固定面が向き合うように、ホルダ部材５・６を重ねることで、間隔が狭い縦線材６ｅを間隔が広い縦線材５ｅの内側に位置させることができ、同時に、間隔が狭い一方の支持部６ｄも他方の支持部５ｄの内側に位置させることができる。このため、全体の厚みを最大限小さくして梱包することができる。また、支持部５ｄ・６ｄも重なるため、ラックの付属品としてホルダ部材５・６を同梱する場合、重なった状態の支持部５ｄ・６ｄに棚材３を入れ込めば、図８のように、縦線材が長い方の支持部によって無駄なスペースが生ずることなく、効率よくホルダ部材５・６をラックに同梱することができる。このとき支脚１・２は、ホルダ部材５・６と共に棚材３を囲繞するように配置して梱包すればよい。
【００３０】
なお、図９の構成について、縦線材の間隔は、使用時に支持部５ｄが下位となる方を狭めても、同様の作用効果が得られる。また、図９は、梱包時の小容積化に寄与するものとして、本考案の好適な例を示したものであるが、図８の構成であっても、使用時は、縦線材が干渉することなく取付板を重ね合わせることができることから、当該図８の構成も本考案から排除するものではない。特に、サイドホルダを単品で販売する場合は、図８の構成であっても、図９よりも若干厚みが増すだけで、ほぼ同じ大きさの箱に梱包することができる。
【符号の説明】
【００３１】
１・２  支脚
３  棚材
４  サイドホルダ
５・６  ホルダ部材
５ａ・６ａ  取付板
５ｂ・６ｂ  懸垂線材
５ｄ・６ｄ  支持部
５ｅ・６ｅ  縦線材
５ｆ・６ｆ  横線材
７  ビス
【図１】
0003182353.tif 000003
【図２】
0003182353.tif 000004
【図３】
0003182353.tif 000005
【図４】
0003182353.tif 000006
【図５】
0003182353.tif 000007
【図６】
0003182353.tif 000008
【図７】
0003182353.tif 000009
【図８】
0003182353.tif 000010
【図９】
0003182353.tif 000011